(57)【要約】【課題】前面扉の強度を落とすことなくスピーカボックスが設置されており、かつ、前面扉へのスピーカボックスの設置が容易な遊技機を提供する。【解決手段】スピーカボックス１１ａ、１１ｂの側部に嵌合突起５１を設ける一方、前面扉１２に第一装飾部材１６および第二装飾部材１７ａ、１７ｂを取り付け、その第二装飾部材１７ａ、１７ｂに、スピーカボックス１１ａ、１１ｂを設置するための設置スペース４１を前方に開口するように形成するとともに、第一装飾部材１６に、当該設置スペース４１と隣接するように、嵌合凹部３２を側方に開口するように形成している。そして、スピーカボックス１１ａ、１１ｂを、それぞれ嵌合突起５１を第一装飾部材１６の左右の嵌合凹部３２に嵌入させ、嵌合突起５１と反対側の側部において設置スペース４１に形成された隙間にスペーサ部材２５ａ、２５ｂを嵌め込んだ状態で、前面扉１２に固着している。【選択図】図４
2018043162.tif 000002
【特許請求の範囲】
【請求項１】
機台の前面に片開き自在に蝶着されている前面扉に、スピーカをハウジング内に収納してなるスピーカボックスが設置された遊技機であって、
前記スピーカボックスの側部に嵌合部が設けられている一方、
前記前面扉に装飾部材が取り付けられており、その装飾部材に、前記スピーカボックスを設置するための設置スペースが前方に開口するように形成されているとともに、その設置スペースの側方に隣接する位置に、前記嵌合部が嵌合する被嵌合部が形成されており、
前記スピーカボックスが、前記嵌合部を前記装飾部材の被嵌合部に嵌合させ、前記嵌合部と反対側の側部において前記設置スペースに形成された隙間に充填部材を嵌め込んだ状態で、前記前面扉に固着されており、
さらに、前記充填部材の前面に装飾部が設けられていることを特徴とする遊技機。
【発明の詳細な説明】
【技術分野】
【０００１】
本発明は、パチンコ機やスロットマシーン等の遊技機に関するものである。
【背景技術】
【０００２】
遊技機の一例であるパチンコ機は、機台の前面に開閉自在に設けられた前面扉に、複数のスピーカが設置されており、所定のタイミングで、それらのスピーカから効果音を発生させて、雰囲気を盛り上げることができるようになっている。また、スピーカを前面扉に固着させるための構造としては、スピーカ本体を内蔵したスピーカボックス（スピーカユニット）を単純に前方からネジ止めする構造や、前面扉に設置孔を設け、その設置孔に対して、前面扉の後方側からスピーカボックスを嵌め込んで前面扉にネジ止めする構造が知られている（特許文献１）。
【先行技術文献】
【特許文献】
【０００３】
【特許文献１】特開２００６−０５１１１８号公報
【発明の概要】
【発明が解決しようとする課題】
【０００４】
しかしながら、前面扉には発光ユニット等の多くの装飾部材が取り付けられるため、スピーカボックスを単純に前方からネジ止めするような構造であると、それらの装飾部材が邪魔となって、スピーカボックスを前面扉に容易に設置することができない。また、特許文献１の如きパチンコ機では、スピーカを大型のものにしようとすると、前面扉に設ける設置孔を大きくせざるを得ず、そのように大きな設置孔を設けると、前面扉の強度が低下してしまう。
【０００５】
本発明の目的は、上記従来の遊技機が有する問題点を解消し、前面扉の強度を落とすことなくスピーカボックスが設置されており、かつ、前面扉へのスピーカボックスの設置が容易な遊技機を提供することにある。
【課題を解決するための手段】
【０００６】
上記目的を達成するために、本発明は、機台の前面に片開き自在に蝶着されている前面扉に、スピーカをハウジング内に収納してなるスピーカボックスが設置された遊技機であって、前記スピーカボックスの側部に嵌合部が設けられている一方、前記前面扉に装飾部材が取り付けられており、その装飾部材に、前記スピーカボックスを設置するための設置スペースが前方に開口するように形成されているとともに、その設置スペースの側方に隣接する位置に、前記嵌合部が嵌合する被嵌合部が形成されており、前記スピーカボックスが、前記嵌合部を前記装飾部材の被嵌合部に嵌合させ、前記嵌合部と反対側の側部において前記設置スペースに形成された隙間に充填部材を嵌め込んだ状態で、前記前面扉に固着されており、さらに、前記充填部材の前面に装飾部が設けられていることを特徴とするものである。
【０００７】
なお、ガラス板を嵌め込んだ前面扉が、機台の前面に片開き自在に蝶着されているとともに、その前面扉に、効果音を発生させるためのスピーカをハウジング内に収納してなるスピーカボックスが設置された遊技機において、スピーカボックスの側部に嵌合突起が設けられている一方、前面扉に装飾部材が取り付けられており、その装飾部材に、スピーカボックスを設置するための設置スペースが前方に開口するように形成されているとともに、その設置スペースと隣接するように、嵌合凹部が側方に開口するように形成されており、スピーカボックスが、嵌合突起を装飾部材の嵌合凹部に嵌入させ、嵌合突起と反対側の側部において設置スペースに形成された隙間に充填部材を嵌め込んだ状態で、前面扉に固着されているという第１の構成を採用してもよい。
【０００８】
また、前記スピーカボックスの嵌合突起と反対側の側部に第一係合体が設けられており、かつ、前記装飾部材の設置スペースと隣接する部分に第二係合体が設けられているとともに、前記充填部材に、前記スピーカボックスの第一係合体と係合可能な第一被係合体および前記装飾部材の第二係合体と係合可能な第二被係合体が設けられているという第２の構成を採用してもよい。
そして、そのような第２の構成を採用することにより、スピーカボックスを装飾部材の設置スペースに、がたつかないように強固に設置することができるので、スピーカボックスから大きな効果音を発生させた場合でも、音割れ等を生じさせたりしないという効果を奏することができる。
【発明の効果】
【０００９】
本発明によれば、前面扉の強度を落とすことなくスピーカボックスが設置されているので、長期間に亘って使用された場合でも、前面扉が損傷しにくい。また、スピーカボックスを前面扉へ容易に設置することができるので、短時間の内に安価に製造することができる。
【図面の簡単な説明】
【００１０】
【図１】パチンコ機の斜視図（左前方上方から見た斜視図）である。
【図２】前面扉の正面図である。
【図３】スピーカボックスの設置部分の水平断面図（図２におけるＡ−Ａ線断面図）である。
【図４】前面扉の斜視図（右前方上方から見た斜視図）である。
【図５】スペーサ部材の斜視図である（ａは右前方上方から見た斜視図であり、ｂは左後方上方から見た斜視図であり、ｃは右前方下方から見た斜視図であり、ｄは右後方下方から見た斜視図である）。
【図６】スピーカボックスの分解斜視図（右前方上方から見た分解斜視図）である。
【図７】スピーカボックスの分解斜視図（右後方下方から見た分解斜視図）である。
【発明を実施するための形態】
【００１１】
＜遊技機の構成＞
以下、本発明に係る遊技機の一種としてのパチンコ機について、図面にしたがって詳細に説明する。図１は、パチンコ機の斜視図であり、パチンコ機１は、周囲を覆う機枠２の片側縁に、前面枠３が、左端縁を中心として片開き自在に蝶着されている。当該前面枠３の下側には、遊技球を発射装置（図示せず）へ供給するための供給皿５と、遊技球を貯留させるための貯留皿６とが上下に併設されており、その貯留皿６の右側には、発射装置を操作するための発射ハンドル７が突設されている。また、前面枠３の中央よりやや上側には、遊技盤（図示せず）が設置されており、その遊技盤の前面には、透明なガラス板を嵌め込んだ前面扉１２が、左端縁を中心として片開き自在に蝶着されている。
【００１２】
図２は、前面扉１２を示したものである。前面扉１２の上端際には、第一装飾部材１６が設置されており、前面扉１２の左右両端際には、それぞれ、第二装飾部材１７ａ，１７ｂが設置されている。そして、第一装飾部材１６と左側の第二装飾部材１７ａとの間、第一装飾部材１６と右側の第二装飾部材１７ｂとの間に、それぞれ、効果音を発生させるためのスピーカ（後述するスピーカ本体２３）を内蔵したスピーカボックス１１ａ，１１ｂが、充填部材として機能するスペーサ部材２５ａ，２５ｂを利用して設置されている。なお、各スピーカボックス１１ａ，１１ｂの構造、および、それらを設置するための構造は、左右対称であること以外は同様であるので、以下の説明においては、主に、右側のスピーカボックス１１ｂおよびそれを設置するための構造について説明する。
【００１３】
図３は、前面扉１２のスピーカボックス１１ａ，１１ｂの設置部分の水平断面図であり、図４は、右側のスピーカボックス１１ｂを取り外した状態を示したものである。第一装飾部材１６は、合成樹脂によって扁平に形成されており、中央に大型の発光部３１が設けられている。当該発光部３１は、内蔵されたＬＥＤの前方を透明な合成樹脂製のカバーで覆ったものである。そして、その発光部３１の左右の側部には、後述するスピーカボックスの嵌合突起５１を嵌合させるための嵌合凹部３２（嵌合突起５１を嵌合可能な略四角柱状の空隙）が設けられている。
【００１４】
一方、第二装飾部材１７ｂは、合成樹脂によって縦長な長尺状に形成されており、発光部４４の上部に、スピーカボックス１１ｂを設置するためのスピーカ設置部４１が連設された状態になっている。第二装飾部材１７ｂの発光部４４は、第一装飾部材１６の発光部３１と同様に、内蔵されたＬＥＤの前方を透明な合成樹脂製のカバーで覆ったものである。また、スピーカ設置部４１は、設置面（前方を向いた面、図４におけるαの部分）が発光部４４よりも後方に位置するように、前方に開口した凹状に設けられており、当該設置面が。遊技盤面に対して略平行な平坦状になっている。そして、その設置面には、スピーカボックス１１ｂを螺着するためのボス４２，４２・・、およびスペーサ部材２５ｂを螺着するためのボス４３，４３・・が設置されている。さらに、発光部４４の上端面は、遊技盤面に対して略直交するように形成されており、その上端面のすぐ下側の発光部４４の外周には、一定幅の凹溝が刻設されている。そして、発光部４４の上端面の外周に、スペーサ部材２５ｂと係合可能な第二係合体である係合片４５が形成された状態になっている。
【００１５】
一方、図５は、右側のスペーサ部材２５ｂを示したものであり、スペーサ部材２５ｂは、合成樹脂によって一体的に形成されている。そして、側板と前板とが直交するように水平断面Ｌ字状に形成された支持部６１の下方に、扁平なスペース充填部６２を連設した形状を有している。当該スペース充填部６２は、平板状のベース体６３の前端縁に、一定幅の帯状の装飾板６４が連設されており、当該装飾板６４の上下の端縁際に、一定幅の係止片６５，６５が後方に突出するように設けられている。そして、ベース体６３の上下の前端縁際に、それぞれ、後述するスピーカボックス１１ｂの発光部材２２の係合片５３と係合させるための第一被係合体である係合凹部６６と、第二装飾部材１７ｂの係合片４５と係合させるための第二被係合体である係合凹部６７とが形成された状態になっている。加えて、支持部６１の前板の内側の端縁際、スペース充填部６２の基端際および先端際には、第二装飾部材１７ｂのスピーカ設置部４１へ螺着するための円筒状のボス６８，６８・・が、後方に突出するように設けられている。
【００１６】
また、図６、図７は、右側のスピーカボックス１１ｂを分解した状態を示したものであり、スピーカボックス１１ａ，１１ｂは、左右対称に形成されており、それぞれ、スピーカ本体２３、スピーカ本体２３を収納したハウジング２６、ハウジング２６の前方および外側面を覆う発光部材２２、スピーカ本体２３の前方を覆うスピーカ保護カバー２１、光拡散部材２４ａ，２４ｂ等を組み付けることによって構成されている。なお、ハウジング２６、発光部材２２、スピーカ保護カバー２１、光拡散部材２４ａ，２４ｂは合成樹脂によって形成されている。そして、発光部材２２の下端際には、遊技盤面に対して略直交するように係合面５２が形成されており、その係合面５２のすぐ上側の部分の外周には、一定幅の凹溝が刻設されている。そして、係合面５２の外周に、スペーサ部材２５ｂと係合可能な第一係合体である係合片５３が形成された状態になっている。さらに、全体が、概ね扁平な円柱状になっており、内側の側面から概ね扁平な四角柱状の嵌合突起５１が突出した状態になっている。加えて、ハウジング２６の裏面には、第二装飾部材１７ｂへ螺着するためのボス５４，５４・・が後方へ突出するように設けられている。
【００１７】
上記したスピーカボックス１１ｂは、内側に突出した嵌合突起５１を、第一装飾部材１６の発光部３１の右側面に形成された嵌合凹部３２に挿入し、ハウジング２６の裏面を第二装飾部材１７ｂのスピーカ設置部４１の設置面（図４におけるαの部分）に接合させ、その状態で、スピーカ設置部４１の下側に形成されたスペースにスペーサ部材２５ｂを嵌め込み、その係合凹部６６，６７に、それぞれ、発光部材２２の係合片５３、第二装飾部材１７ｂの係合片４５を係合させた状態（嵌め込んだ状態）で、ハウジング２６のボス５４，５４・・・およびスペーサ部材２５ｂのボス６８，６８・・を、それぞれ、第二装飾部材１７ｂのボス４２，４２・・およびボス４３，４３・・に螺着させることによって第二装飾部材１７ｂのスピーカ設置部４１に固着されている。
【００１８】
＜遊技機の効果＞
パチンコ機１は、上記の如く、スピーカボックス１１ａ，１１ｂの側部に嵌合突起５１，５１が設けられている一方、前面扉１２に装飾部材である第一装飾部材１６および第二装飾部材１７ａ，１７ｂが取り付けられており、その第二装飾部材１７ａ，１７ｂに、スピーカボックス１１ａ，１１ｂを設置するための設置スペース４１が前方に開口するように形成されているとともに、第一装飾部材１６に、当該設置スペース４１と隣接するように、嵌合凹部３２が側方に開口するように形成されている。そして、スピーカボックス１１ａ，１１ｂが、それぞれ、嵌合突起５１を第一装飾部材１６の左右の嵌合凹部３２，３２に嵌入させ、嵌合突起５１と反対側の側部において設置スペース４１に形成された隙間に充填部材であるスペーサ部材２５ａ，２５ｂを嵌め込んだ状態で、前面扉１２に固着されている。そのように、パチンコ機１は、前面扉１２の強度を落とすことなくスピーカボックス１１ａ，１１ｂが設置されているので、長期間に亘って使用された場合でも、前面扉１２が損傷しにくい。また、スピーカボックス１１ａ，１１ｂを前面扉１２へ容易に設置することができるので、短時間の内に安価に製造することができる。
【００１９】
また、パチンコ機１は、スピーカボックス１１ａ，１１ｂの嵌合突起５１と反対側の側部に第一係合体である係合片５３が設けられており、かつ、第二装飾部材１７ａ，１７ｂの設置スペース４１と隣接する部分に第二係合体である係合片４５が設けられているとともに、スペーサ部材２５ａ，２５ｂに、スピーカボックス１１ａ，１１ｂの係合片５３と係合可能な第一被係合体である係合凹部６６と、第二装飾部材１７ａ，１７ｂの係合片４５と係合可能な第二被係合体である係合凹部６７とが設けられている。それゆえ、スペーサ部材２５ａ，２５ｂの係合凹部６６にスピーカボックス１１ａ，１１ｂの係合片５３を係合させ、かつ、スペーサ部材２５ａ，２５ｂの係合凹部６７に第二装飾部材１７ａ，１７ｂの係合片４５を係合させることによって、スピーカボックス１１ａ，１１ｂを第二装飾部材１７ａ，１７ｂの設置スペース４１に、がたつかないように強固に設置することができるので、スピーカボックス１１ａ，１１ｂから大きな効果音を発生させた場合でも、音割れ等を生じさせたりしない。
【００２０】
＜遊技機の変更例＞
なお、本発明の遊技機の構成は、上記実施形態の態様に何ら限定されるものではなく、機枠、前面扉、スピーカボックス（ハウジング、発光部材、スピーカ保護カバー、拡散部材）、スペーサ部材等の形状、構造、材質等の構成を、本発明の趣旨を逸脱しない範囲で適宜変更することができる。
【００２１】
たとえば、遊技機は、上記実施形態の如く、前面扉の中央に位置した装飾部材の左右側面に嵌合凹部を設けるとともに、左右のスピーカボックスの内側に嵌合突起を形成したものに限定されず、前面扉の左右に位置した２つの装飾部材の各内側面に嵌合凹部を設けるとともに、左右のスピーカボックスの外側に嵌合突起を形成したもの等に変更することも可能である。また、遊技機は、上記実施形態の如く、左右一対のスピーカーボックスの両方に嵌合突起を形成するとともに、装飾部材の２箇所に嵌合凹部を設けたものに限定されず、左右いずれかのスピーカーボックスに嵌合突起を形成するとともに、装飾部材の１箇所に嵌合凹部を設けたもの等に変更することも可能である。また、スペーサ部材は、上記実施形態の如く、支持部からスペース充填部を突出させたものに限定されず、全体がスペース充填部として機能するもの等に変更することも可能である。一方、装飾部材は、上記実施形態の如く、第一装飾部材と第二装飾部材との２つに分割されたものに限定されず、一体的に形成されたものでも良いし、３つ以上に分割されたものでも良い。
【００２２】
加えて、上記実施形態では、遊技機の一例であるパチンコ機について説明しているが、本発明は、たとえば封入式パチンコ機等といった他の遊技機に対しても当然適用可能である。なお、特許請求の範囲、明細書および図面に記載される全ての要素（たとえば、第一のＬＥＤ群や第二のＬＥＤ群等）は、個数を意識的に限定する明確な記載がない限り、物理的に単一であっても複数であっても構わないし、適宜配置の変更が行われても構わない。また、特許請求の範囲や明細書等で使用している要素名（要素につけた名称）は、単に本件の記載のために便宜上付与したにすぎないものであり、それによって特別な意味が生じることを特に意識したものではない。すなわち、要素名のみによって要素が何であるかが限定解釈されるものではない。さらには、すべての要素のうちの複数の要素を適宜一体的に構成するか、もしくはひとつの要素を複数の要素に分けて構成するかは、あえて特許請求の範囲等において特定していない限り、何れも当業者であれば容易に考えられる事項である。したがって、その程度の範囲内での構成上の差異を有する遊技機を、本実施例に記載がなされていないことを理由に採用することのみでは、本発明に係る権利を回避したことにはならない。その他、各要素の構成や形状等における、本実施例から当業者であれば容易に考えられる自明な範囲の差異についても同様である。
【符号の説明】
【００２３】
１・・パチンコ機（遊技機）、１１ａ，１１ｂ・・スピーカボックス、１６・・第一装飾部材、１７ａ，１７ｂ・・第二装飾部材、２３・・スピーカ本体、２５ａ，２５ｂ・・スペーサ部材（充填部材）、３２・・嵌合凹部（被嵌合部）、４１・・スピーカ設置部、４５・・係合片（第二係合体）、５１・・嵌合突起（嵌合部）、５３・・係合片（第一係合体）、６４・・装飾板（装飾部）、６６・・係合凹部（第一被係合体）、６７・・係合凹部（第二被係合体）。
【図１】
2018043162.tif 000003
【図２】
2018043162.tif 000004
【図３】
2018043162.tif 000005
【図４】
2018043162.tif 000006
【図５】
2018043162.tif 000007
【図６】
2018043162.tif 000008
【図７】
2018043162.tif 000009